(57)【要約】【課題】本発明は、バッテリーセル、及びこれを含むバッテリーモジュールに関する。【解決手段】本発明は、バッテリーセル、及びこれを含むバッテリーモジュールに関し、より詳細には、ケースの密封部の一定領域が接合される幅が、他の領域が接合される幅より狭く形成されるベント部が形成されることにより、ガスの排気を容易にすることができるバッテリーセル、及びこれを含むバッテリーモジュールに関する。【選択図】図１
2013105742.tif 000002
【特許請求の範囲】
【請求項１】
第１電極部、第２電極部、及び分離膜を含む電池部と、
前記第１電極部及び第２電極部にそれぞれ溶接される第１電極タップ及び第２電極タップと、
前記第１電極タップ及び第２電極タップが外側に突出され、前記第１電極部、第２電極部、及び分離膜を内部に含んで密封されるパウチ形態であり、シーリング部材が塗布される密封部、及び前記密封部の他の領域よりも幅が狭い前記密封部内の所定領域であるベント部を含むケースと、
を含むバッテリーセル。
【請求項２】
前記ベント部は、
一定領域が接合されないように、前記ケースの内側から外側に向かって形成されることを特徴とする請求項１に記載のバッテリーセル。
【請求項３】
前記バッテリーセルは、
前記ケースが、それぞれ前記ベント部の形態に対応する形状の第１溝及び第２溝が形成された一対の圧着部材によって熱融着されて接合されることを特徴とする請求項１または２に記載のバッテリーセル。
【請求項４】
請求項３に記載の前記バッテリーセルが多数積層されたバッテリーモジュール。
【請求項５】
第１電極部、第２電極部、及び分離膜を含む電池部を製造し、前記第１電極部及び第２電極部にそれぞれ第１電極タップ及び第２電極タップを溶接する製造段階と、
前記第１電極タップ及び第２電極タップが外側に突出されるように前記電池部をケースに収容する収容段階と、
前記ケースでシーリング部材が塗布される密封部同士が、第１溝及び第２溝が形成された一対の圧着部材によって熱融着されて接合される密封段階と、
を含むことを特徴とするバッテリーセル製造方法。
【請求項６】
前記密封段階は、
前記一対の圧着部材が、第１溝及び第２溝が互いに向き合うように前記密封部の上側及び下側にそれぞれ配置される配置段階と、
前記一対の圧着部材と前記密封部が接触する部分を熱融着して、前記密封部の他の領域よりも幅が狭い前記密封部内の所定領域であるベント部を形成する熱融着段階と、
を含むことを特徴とする請求項５に記載のバッテリーセル製造方法。
【発明の詳細な説明】
【技術分野】
【０００１】
本発明は、化学的エネルギーを電気的エネルギーに直接変換するためのバッテリーセル、及びこれを含むバッテリーモジュールに関し、より詳細には、本発明は、電池内部のガスの排気を容易にするためのバッテリーセル、及びこれを含むバッテリーモジュールに関する。
【背景技術】
【０００２】
近年、携帯用電子機器の小型化及び軽量化が急速に進められるに伴い、これらの駆動電源として用いられる電池の小型化及び高容量化の必要性が増大している。そのうち、特に、リチウム二次電池は、作動電圧が３．６Ｖ以上であって、携帯用電子機器の電源として広く使用されているニッケル−カドミウム電池や、ニッケル−水素電池の作動電圧より３倍も高く、単位重量当たりのエネルギー密度が高いという側面において急速に伸長している。
【０００３】
リチウム二次電池は、その外形によって、大きく、円筒型電池、角型電池、パウチ型電池などに分けられ、電解液の形態によって、リチウムイオン電池、リチウムイオンポリマー電池、リチウムポリマー電池などに分けることもできる。
【０００４】
そのうち、モバイル機器の小型化の傾向に伴い、厚さが薄い角型電池、パウチ型電池に対する需要が増加しており、特に、形態の変形が容易であり、製造コストが低く、重量が小さいパウチ型電池に対する関心が高まっている。
【０００５】
通常、パウチ型電池は、樹脂層と金属層を含んで構成されたラミネートシートのパウチ型ケースの内部に、電極組立体と電解質が密封されている電池を意味する。ケースに収納される電極組立体は、ゼリーロール型（巻き取り型）または積層型（stack型）の構造に形成される。
【０００６】
一方、パウチ型二次電池は、電池の作動電位が高いため、高エネルギーが瞬間的に流れる場合がある。また、陽極物質は、過充電または短絡によって化学的な活性が大きく増大するため、電解質と急激に反応して多量のガスを発生させ、その結果、電池内部の圧力や温度が急激に上昇して電池が爆発する場合、周辺装置が破損されたり人体に損傷を与える恐れがある。
【０００７】
特に、このような問題点は、複数の電池セルが備えられた中／大型の電池パックの場合、より深刻な大型事故を誘発する可能性がある。
【０００８】
中／大型の電池パックは、一定空間を有するフレームの内部に、複数のバッテリーセルまたは単位モジュールが備えられ、前記複数のバッテリーセルまたは単位モジュールの膨張に伴い、ケース内部に急激な圧力上昇をもたらす可能性がある。
【０００９】
このような理由により、二次電池モジュールの安全性問題を解決しようとする試みは継続して行われているが、ほとんどの場合、別の部品や装置を付着する方法を使用しているため、電池を生産する際に、追加の工程や設備が必要となり、生産性及び電池のエネルギー密度を低下させ、電池の生産コストを増加させた。
【００１０】
韓国公開特許２００４−００８１５２１に開示されたバッテリーセルは、ゼリーロール型（巻き取り型）電極組立体を収納するケースを含んでなる。
【００１１】
この際、従来技術によるバッテリーセルは、ケースの外側から内側に窪んだ安全板をさらに含んでなる。
【００１２】
従来技術によるバッテリーセルは、内部の圧力や温度上昇によって電池が爆発する場合を解決するために、圧力が増加すると、破裂してガスが排出される通路に利用される安全板が形成されている。
【００１３】
しかし、従来技術によるバッテリーセルは、内部圧力が増加する場合、ケースの密封された部分が先ず開放されてから安全板が形成された位置まで応力が伝達されて安全板が破裂するため、安全板が破裂する臨界値の内部圧力を制御することができないという問題点がある。
【００１４】
また、従来技術によるバッテリーセルは、破裂する臨界値の内部圧力を集中することができないため、内部圧力に耐えない状態でも安全板が破裂せず、電池セルが爆発する恐れがあるという短所がある。
【００１５】
従って、バッテリーセルのケースが安全に破裂され得る圧力を調節できる技術を開発する必要がある。
【先行技術文献】
【特許文献】
【００１６】
【特許文献１】韓国公開特許２００４−００８１５２１（２００４．０９．２２）
【発明の概要】
【発明が解決しようとする課題】
【００１７】
本発明は、前記のような問題点を解決するために導き出されたものであって、より詳細に、本発明は、バッテリーセルの内部圧力が集中される部分を形成して、電池内部の圧力や温度が急激に上昇して電池が爆発する場合を防止することができるバッテリーセル、及びこれを含むバッテリーモジュールを提供することを目的とする。
【課題を解決するための手段】
【００１８】
前記のような問題を解決するために、本発明のバッテリーセルは、第１電極部、第２電極部、及び分離膜を含む電池部と、前記第１電極部及び第２電極部にそれぞれ溶接される第１電極タップ及び第２電極タップと、前記第１電極タップ及び第２電極タップが外側に突出され、前記第１電極部、第２電極部、及び分離膜を内部に含んで密封されるパウチ形態であり、シーリング部材が塗布される密封部、及び前記密封部の他の領域よりも幅が狭い前記密封部内の所定領域であるベント部を含むケースと、を含む。
【００１９】
また、前記ベント部は、一定領域が接合されないように、前記ケースの内側から外側に向かって形成される。
【００２０】
また、前記バッテリーセルは、前記ケースが、それぞれ前記ベント部の形態に対応する形状の第１溝及び第２溝が形成された一対の圧着部材によって熱融着されて接合されることを特徴とする。
【００２１】
また、本発明のバッテリーモジュールは、前記バッテリーセルが多数積層されたことを特徴とする。
【００２２】
また、本発明の電池セルの製造方法は、第１電極部、第２電極部、及び分離膜を含む電池部を製造し、前記第１電極部及び第２電極部にそれぞれ第１電極タップ及び第２電極タップを溶接する製造段階と、前記第１電極タップ及び第２電極タップが外側に突出されるように前記電池部をケースに収容する収容段階と、前記ケースでシーリング部材が塗布される密封部同士が、第１溝及び第２溝が形成された一対の圧着部材によって熱融着されて接合される密封段階と、を含む。
【００２３】
また、前記密封段階は、前記一対の圧着部材が、第１溝及び第２溝が互いに向き合うように前記密封部の上側及び下側にそれぞれ配置される配置段階と、前記一対の圧着部材と前記密封部が接触する部分を熱融着して、前記密封部の他の領域よりも幅が狭い前記密封部内の所定領域であるベント部を形成する熱融着段階と、を含む。
【発明の効果】
【００２４】
これにより、本発明のバッテリーセルは、ケースが密封される領域において、前記密封部の他の領域よりも幅が狭い前記密封部内の所定領域であるベント部が形成されることにより、電池内部の圧力や温度が急激に上昇して電池が爆発したり発火することを防止し、安全性を確保することができる効果がある。
【００２５】
これにより、本発明によるバッテリーセルは、ケースの密封部を熱融着して簡単にベント部を形成することにより、迅速に製作することができる長所がある。
【００２６】
また、本発明のバッテリーセルは、ケースが接合される領域において、前記密封部の他の領域よりも幅が狭い前記密封部内の所定領域であるベント部が形成されることにより、電池内部の圧力や温度が急激に上昇して電池が爆発したり発火することでケースが開放される圧力を設定することができる効果がある。
【図面の簡単な説明】
【００２７】
【図１】本発明の実施例によるバッテリーセルの斜視図である。
【図２】本発明の実施例によるバッテリーセルの製造方法に関する斜視図である。
【図３】本発明によるベント部の複数の実施例である。
【図４】本発明の実施例によるベント部の形成面積による応力集中度を示すグラフである。
【発明を実施するための形態】
【００２８】
以下、添付の図面を参照して、本発明の技術的思想についてより具体的に説明する。
【００２９】
図１は、本発明の実施例によるバッテリーセルの斜視図である。
【００３０】
図１に図示されたように、本発明の実施例によるバッテリーセル１０００は、電池部１００、第１電極タップ２００、第２電極タップ３００、及びケース４００を含んで形成される。
【００３１】
電池部１００は、ケース４００の内部に備えられ、第１電極部１１０、第２電極部１２０、及び分離膜１３０を含んで形成される。
【００３２】
この際、分離膜は、第１電極部１１０と第２電極部１２０との間に備えられ、第１電極部１１０、第２電極部１２０、及び分離膜１３０は、ケース４００の内部に電解質溶液とともに備えられる。
【００３３】
第１電極タップ２００及び第２電極タップ３００は、電源連結のために、ケース４００の外側に突出され、それぞれ第１電極部１１０及び第２電極部１２０に溶接される。
【００３４】
ケース４００は、バッテリーセル１０００を形成する基本本体であって、パウチ形態で密封され、密封部４１０及びベント部４２０を含んで形成される。
【００３５】
密封部４１０は、ケース４００のシーリング部材が塗布されて接着された領域であって、密封部４１０によってケース４００がパウチ形態で密封される。
【００３６】
この際、密封部４１０は、シーリング部材の塗布によって接合されたり、シーリング部材が塗布された領域同士を熱融着して接合されることができる。
【００３７】
ベント部４２０は、密封部４１０が接合される領域の幅Ｌ４１０より接合される幅Ｌ４２０が狭く形成される領域である。
【００３８】
図１に図示された拡大図は、ベント部４２０が形成された領域の側断面図であって、図１を参照すると、密封部４１０の一定領域が接合された幅Ｌ４１０よりベント部４２０が形成された領域の幅Ｌ４２０が狭く形成される。
【００３９】
即ち、ベント部４２０は、密封部４１０が接合される領域の幅Ｌ４１０より接合される幅Ｌ４２０が狭い領域であって、一定領域が接合されないように、ケース４００の内側から外側に向かって形成される。
【００４０】
この際、バッテリー及びバッテリーモジュールの予期せぬ過充電または内部短絡など過熱によって、ケース４００内部の圧力が上昇すると、ベント部４２０に応力が集中する。
【００４１】
このようにベント部４２０に応力が集中すると、ベント部４２０の領域を中心にケース４００が内側で先に開放される。
【００４２】
これによって、本発明のバッテリーセル１０００は、ケース４００の接合領域において、他の領域より狭い接合幅Ｌ４２０を有する所定領域であるベント部４２０が形成されることにより、電池内部の圧力や温度が急激に上昇して電池が爆発したり発火することを防止して、安全性を確保することができる効果がある。
【００４３】
図２は、本発明の実施例によるバッテリーセルの製造方法に関する斜視図である。
【００４４】
図２に図示されたように、本発明の実施例によるバッテリーセル１０００の製造方法は、次のような段階からなる。
【００４５】
先ず、図２（ａ）に図示されたように、第１電極部１１０、第２電極部１２０、及び分離膜１３０を含む電池部１００を製造し、第１電極部１１０及び第２電極部１２０にそれぞれ第１電極タップ２００及び第２電極タップ３００を溶接する。これは電池製造段階に該当する。
【００４６】
次に、図２（ｂ）に図示されたように、ケース４００の外側に第１電極タップ２００及び第２電極タップ３００を突出させて、電池部１００をケース４００に収容する。これは収容段階に該当する。
【００４７】
次に、図２（ｃ）〜図２（ｄ）に図示されたように、ケース４００のシーリング部材が塗布される密封部４１０は、第１溝５１０及び第２溝５２０が各一面に形成された一対の圧着部材５００によって熱融着されて接合される。これは密封段階に該当する。
【００４８】
この際、密封段階は、配置段階と熱融着段階とに分けられ、これについて詳細に説明する。
【００４９】
先ず、図２（ｃ）を参照すると、一対の圧着部材５００の第１溝５１０及び第２溝５２０が形成された各一面が密封部４１０の上側及び下側に互いに向き合ってそれぞれ配置される。これは配置段階に該当する。
【００５０】
次に、図２（ｄ）を参照すると、一対の圧着部材５００と密封部４１０が接触する部分を熱融着して、密封部４１０の他の領域よりも幅が狭い密封部４１０内の所定領域であるベント部４２０を形成する。これは熱融着段階に該当する。
【００５１】
これによって、本発明の実施例によるバッテリーセル１０００は、ケース４００の密封部を熱融着して簡単にベント部４２０を形成することにより、迅速に製作することができる長所がある。
【００５２】
また、本発明のバッテリーモジュールは、本発明の実施例によるバッテリーセル１０００が多数積層されて形成されることを特徴とする。
【００５３】
図３は、本発明によるベント部の複数の実施例である。
【００５４】
図３は、ベント部４２０が形成された密封部４１０の側断面を基準に図示されたベント部４２０の複数の実施例であって、ベント部４２０は、密封部４１０の一定領域に形成され、密封部４１０の側面を切断した断面図を基準に、三角形、半円形、四角形、楕円形、台形の形態に多様に形成される。
【００５５】
図４は、本発明の実施例によるバッテリーセルにおけるベント部の形成面積による応力集中度を示すグラフである。
【００５６】
図４に図示されたように、本発明の実施例によるバッテリーセル１０００のベント部４２０の形状と形成される面積の大きさに応じて、ベント部４２０に伝達される応力集中度が相違することが分かる。
【００５７】
ベント部４２０が形成された面積が広いほど、応力集中度が高く形成されるのではなく、一定面積で応力集中度が高く形成されることが分かる。
【００５８】
これにより、本発明のバッテリーセル１０００は、ケース４００が接合される領域において、一定領域が接合される幅が、他の領域が接合される幅より狭いベント部４２０が形成されることで、電池内部の圧力や温度が急激に上昇して電池が爆発したり発火することによって、ケースが開放される圧力を設定することができる効果がある。
【００５９】
添付の図面は、本発明の技術的思想をより具体的に説明するために図示した一例に過ぎず、本発明の技術的思想は、添付の図面の形態に限定されない。
【００６０】
本発明は、前記実施例に限定されず、適用範囲が多様であることは勿論、特許請求の範囲で請求する本発明の要旨から外れることなく多様な変形実施が可能であるのは言うまでもない。
【符号の説明】
【００６１】
１０００  バッテリーセル
１００  電池部
１１０  第１電極部
１２０  第２電極部
１３０  分離膜
２００  第１電極タップ
３００  第２電極タップ
４００  ケース
４１０  密封部
４２０  ベント部
５００  一対の圧着部材
５１０  第１溝
５２０  第２溝
Ｌ４１０  密封部の幅
Ｌ４２０  ベント部の幅
【図１】
2013105742.tif 000003
【図２】
2013105742.tif 000004
【図３】
2013105742.tif 000005
【図４】
2013105742.tif 000006